(57)【要約】  本発明は、光分割装置を提供する。光分割装置は、筐体と、筐体に配置される均等な光分割器および不均等な光分割器とを備える。光入射口および複数の光出射口が筐体に配置されてよく、ファイバーアダプタが光出射口に配置される。光入射口、均等な光分割器、不均等な光分割器、および光出射口が、均等な光分割器と不均等な光分割器とを用いて光入射口と光出射口との間に光路が形成されるように接続される。光入射口は、均等な光分割器の光入力端および不均等な光分割器の光入力端少なくとも１つに接続され、光出射口におけるファイバーアダプタは、均等な光分割器の光出力端および不均等な光分割器の光出力端の少なくとも１つに接続されている。この種類の光分割装置は、プラグアンドプレイが実装されている間に、各光出射口の出力光パワーがユーザ分布状況に基づいて柔軟に構成され得るように、端部に光ファイバーコネクターを有する光ケーブルと協調して用いられてよい。このように、長いカバレッジ距離が実装されるのみならず、光信号リソースが無駄にならず、できるだけ多くのユーザがカバーされる。
2021512510.tif 000002
【特許請求の範囲】
【請求項１】
光分割装置であって、
筐体と、前記筐体に配置される均等な光分割器と不均等な光分割器とを備えるか、または、前記光分割装置は、筐体と、前記筐体に配置される不均等な光分割器とを備え、
光入射口および複数の光出射口が前記筐体に配置され、ファイバーアダプタが前記複数の光出射口に配置され、
前記均等な光分割器と前記不均等な光分割器とを用いて、前記光入射口と前記複数の光出射口との間に光路が形成されるように前記光入射口、前記均等な光分割器、前記不均等な光分割器および前記複数の光出射口が接続されるか、または前記不均等な光分割器を用いて前記光入射口と前記複数の光出射口との間に光路が形成されるように、前記光入射口、前記不均等な光分割器、および前記複数の光出射口が接続され、
前記光入射口は、前記均等な光分割器の光入力端と前記不均等な光分割器の光入力端との少なくとも１つに接続され、前記複数の光出射口の前記ファイバーアダプタは、前記均等な光分割器の光出力端と前記不均等な光分割器の光出力端との、少なくとも１つに接続される、
光分割装置。
【請求項２】
ファイバーアダプタが前記光入射口に配置されている、請求項１に記載の光分割装置。
【請求項３】
前記ファイバーアダプタの端部であり、前記筐体の外側に位置する端部は、外部光ファイバーコネクターに着脱可能に締結および接続される、請求項１または２に記載の光分割装置。
【請求項４】
前記ファイバーアダプタの端部であり、前記筐体の内側に位置する端部は、内部光ファイバーコネクターに着脱可能に締結および接続される、請求項１または１から３のいずれか一項に記載の光分割装置。
【請求項５】
少なくとも１つの均等な光分割器が、前記不均等な光分割器の前記光出力端と前記複数の光出射口との間に接続されている、請求項１から４のいずれか一項に記載の光分割装置。
【請求項６】
前記複数の光出射口は、１つの第１の光出射口、少なくとも２つの第２の光出射口を有し、前記第１の光出射口と前記第２の光出射口との各々には前記ファイバーアダプタが配置され、
前記不均等な光分割器は、第１の光入力端、第１の光出力端、および第２の光出力端を有し、
前記均等な光分割器は、第２の光入力端と少なくとも２つの第３の光出力端を有し、前記第３の光出力端の数は、前記第２の光出射口の数と同じであり、
前記光入射口は前記第１の光入力端に接続され、
前記第１の光出力端は前記第１の光出射口の前記ファイバーアダプタに接続され、前記第２の光出力端は前記第２の光入力端に接続され、前記第３の光出力端は前記第２の光出射口の前記ファイバーアダプタに一対一の対応関係で接続される、請求項５に記載の光分割装置。
【請求項７】
光ファイバーコネクターが前記第１の光入力端に配置され、前記光入射口の前記ファイバーアダプタに着脱可能に締結および接続され、光ファイバーコネクターが前記第１の光出力端に配置され、前記第１の光出射口の前記ファイバーアダプタに着脱可能に締結および接続され、光ファイバーコネクターが前記第３の光出力端に配置され、前記第２の光出射口の前記ファイバーアダプタに着脱可能に締結および接続される、請求項６に記載の光分割装置。
【請求項８】
光ファイバーコネクターが前記第２の光出力端に配置され、光ファイバーコネクターが前記第２の光入力端に配置され、前記筐体はさらに、前記第２の光出力端の前記光ファイバーコネクターを前記第２の光入力端の前記光ファイバーコネクターに着脱可能に締結および接続するように構成されるファイバーアダプタを有するか、または、
光ファイバーが前記第２の光出力端に配置され、光ファイバーが前記第２の光入力端に配置され、前記第２の光出力端の前記光ファイバーと前記第２の光入力端の前記光ファイバーは接合されている、請求項６または７に記載の光分割装置。
【請求項９】
前記第１の光出力端の出力光パワーが前記第２の光出力端の出力光パワーより大きい、請求項６から８のいずれか一項に記載の光分割装置。
【請求項１０】
少なくとも１つの均等な光分割器が、前記不均等な光分割器の前記光入射口と前記光入力端との間に接続される、請求項１から９のいずれか一項に記載の光分割装置。
【請求項１１】
少なくとも１つの光出射口が少なくとも１つの不均等な光分割器の光出力端に接続されている、請求項１から１０のいずれか一項に記載の光分割装置。
【請求項１２】
前記少なくとも１つの不均等な光分割器のいくつかの光出力端は前記光出射口に接続され、前記光出射口に接続される前記不均等な光分割器の前記光出力端は、前記不均等な光分割器の光出力端において比較的に高い出力光パワーを有する光出力端であるか、または、前記少なくとも１つの不均等な光分割器の全ての光出力端は、前記複数の光出射口に一対一の対応関係で接続される、請求項１１に記載の光分割装置。
【請求項１３】
少なくとも１つの不均等な光分割器が、前記均等な光分割器の前記光出力端と前記複数の光出射口との間に接続されている、請求項１から１２のいずれか一項に記載の光分割装置。
【請求項１４】
少なくとも１つの不均等な光分割器が、前記均等な光分割器の前記光入射口と前記光入力端との間に接続される、請求項１から１３のいずれか一項に記載の光分割装置。
【請求項１５】
前記少なくとも１つの均等な光分割器の全ての光出力端が、前記複数の光出射口に一対一の対応関係で接続されている、請求項５から９のいずれか一項に記載の光分割装置。
【発明の詳細な説明】
【技術分野】
【０００１】
本願は、光通信技術分野、特に光分割装置に関する。
【背景技術】
【０００２】
光分配ネットワーク（Ｏｐｔｉｃａｌ  ｄｉｓｔｒｉｂｕｔｉｏｎ  ｎｅｔｗｏｒｋ、ＯＤＮ）が、光回線終端装置（Ｏｐｔｉｃａｌ  ｌｉｎｅ  ｔｅｒｍｉｎａｌ、ＯＬＴ）と光ネットワーク端末（Ｏｐｔｉｃａｌ  ｎｅｔｗｏｒｋ  ｔｅｒｍｉｎａｌ、ＯＮＴ）との間に光送信のための物理経路を設ける。ＯＤＮにおいて、光分割は一般的に、より多くのユーザをカバーするために光ケーブルにおける光ファイバーで実行される必要がある。
【０００３】
従来の光分割ソリューションはほとんどが均等な光分割ソリューションである。図１は、従来の光ファイバーリンクの概略図である。ＯＬＴから出力される光信号が光分配フレーム（Ｏｐｔｉｃａｌ  Ｄｉｓｔｒｉｂｕｔｉｏｎ  Ｆｒａｍｅ，  ＯＤＦ）、分割接合クロージャ（ｓｐｌｉｔｔｉｎｇ  ａｎｄ  ｓｐｌｉｃｉｎｇ  ｃｌｏｓｕｒｅ，  ＳＳＣ）、レベル１の光分割デバイス、レベル２の光分割デバイス、および接続端末ボックス（ａｃｃｅｓｓ  ｔｅｒｍｉｎａｌ  ｂｏｘ，  ＡＴＢ）を順次通り、そしてＯＮＴに到達する。図１におけるレベル１の光分割デバイスは、例えば、１：８光分割を実行する。レベル１の光分割デバイスは、８つの光出力端を有する。図１は、光出力端の１つのみを示し、他の光出力端は図１において省略されている。同じことがレベル２の光分割デバイスに適用される。図１は、光出力端の１つのみを示し、他の光出力端は省略されている。
【０００４】
従来の光分割ソリューションにおいて、光ファイバーがより長い距離をカバーすることを可能にするために、光ファイバーは一般的に、分割、接合、および接続などを必要とする。図１に示される光分割デバイスにおいて、光ファイバーは一般的に、光ファイバーの接続を実装するために接合される必要がある。これは、長い実装時間をもたらすのみならず、比較的に高い実装スキルも必要とする。接合の質は、オペレータのスキルで決まり、したがって、実装は比較的に難しく、高い人件費がかかる。
【発明の概要】
【０００５】
本願は、光分割デバイスの実装における効率を改善し、実装難度を低くし、人件費を減らすために、光分割装置を提供する。
【０００６】
本願の第１の態様は、ＯＤＮフィールドに適用された光分割装置を提供する。本願における光分割装置は、例えば、分割接合クロージャ、ファイバー接続端末（ｆｉｂｅｒ  ａｃｃｅｓｓ  ｔｅｒｍｉｎａｌ，  ＦＡＴ）、または光ケーブル接続端末のような光分割デバイスであってよい。光分割装置は、筐体と、筐体に配置される均等な光分割器および不均等な光分割器とを備えるか、または光分割装置は筐体と、筐体に配置される不均等な光分割器とを備える。光入射口および複数の光出射口が筐体に配置され、ファイバーアダプタが光出射口に配置されてよく、ファイバーアダプタは光入射口に配置されてもよい。光入射口、均等な光分割器、不均等な光分割器、および光出射口が、均等な光分割器と不均等な光分割器とを用いて光入射口と光出射口との間に光路が形成されるように接続されるか、または光入射口、不均等な光分割器、および光出射口が、不均等な光分割器を用いて光入射口と光出射口との間に光路を形成するように接続される。光入射口は、均等な光分割器の光入力端および不均等な光分割器の光入力端少なくとも１つに接続され、光出射口におけるファイバーアダプタは、均等な光分割器の光出力端および不均等な光分割器の光出力端の少なくとも１つに接続されている。ファイバーアダプタの端部であり、筐体の外側に位置する端部は、外部光ファイバーコネクターに着脱可能に締結および接続される。ファイバーアダプタが光入射口および光出射口に配置され、高速接続製品がファイバーアダプタとして用いられてよい。設置の間、予め作られた光ケーブルにおける光ファイバーコネクターをファイバーアダプタに直接挿入することにより、設置が完了され得る。このように、接合することなく光分割ボックスが設置され、全ての構成要素に対してプラグアンドプレイが実装され、それにより実装難度が実質的に低くなり、実装効率が改善される。ファイバーアダプタおよび不均等な光分割器は、光分割ボックスが接合することなく予め作られた光ケーブルを用いて設置され、全ての構成要素に対してプラグアンドプレイが実装されるように結合される。加えて、各光出射口の出力光パワーは、ユーザ分布状況に基づいて柔軟に構成され得る。例えば、比較的に低い出力光パワーを有する光出射口は、それに応じて比較的に近くのユーザをカバーしてよく、比較的に高い出力光パワーを有する光出射口から出てくる光ケーブルは、より長い距離においてより多くのユーザをカバーするために次のノードにさらに接続されてよい。不均等な光分割器は柔軟に用いられる。従って、カスタマイズされる予定の種類の予め作られた光ケーブルの数は実質的に減少し得て、光信号が適切に割り当てられ得て、それによりラインの損失が減少する。
【０００７】
いくつかの可能な設計において、ファイバーアダプタの端部であり、筐体の内側に位置する端部は、内部光ファイバーコネクターに着脱可能に締結および接続される。内部光ファイバーコネクターは、光分割器（均等な光分割器と不均等な光分割器とを含む）の光ファイバーコネクターであってよく、光入力端の光ファイバーコネクターおよび光出力端の光ファイバーコネクターを含む。このように、設置効率がさらに改善され、光分割器は、光入射口におけるファイバーアダプタと光出射口におけるファイバーアダプタとに迅速に接続され得る。
【０００８】
いくつかの可能な設計において、少なくとも１つの均等な光分割器が、不均等な光分割器の光出力端と光出射口との間に接続される。均等な光分割器に接続される光出力端は、不均等な光分割器の光出力端において比較的に低い出力光パワーを有する光出力端であってよい。これは、近くのユーザの光ファイバーカバレッジを保証するのみならず、より長い距離においてより多くの光ファイバーユーザがカバーされるように、最も大きい光パワーを有する光信号が次のノードに送信され続けるようにし得る。
【０００９】
いくつかの可能な設計において、少なくとも１つの均等な光分割器が、不均等な光分割器の光入射口と光入力端との間に接続される。このように、筐体に入る光信号はまず、均等な光分割器により均等に分割され、そして均等な分割の後に取得される光信号は不均等な光分割器により不均等に分割される。そして、いくつかの光信号（例えば、不均等な光分割器による比較的に高い出力光パワーおよび出力を有する光信号）は、より長い距離まで送信され続けて、使用のためにより多くのユーザに割り当てられる。いくつかの光信号（例えば、不均等な光分割器による比較的に低い出力光パワーおよび出力を有する光信号）は、近くのユーザに割り当てられ、近くのユーザの比較的多数の使用要件を満たす。
【００１０】
いくつかの可能な設計において、少なくとも１つの光出射口が、少なくとも１つの不均等な光分割器の光出力端に接続される。このように、不均等な光分割器により出力される光信号は、より長い距離まで送信され、従って、より長い距離におけるより多くのユーザに割り当てられ得る。具体的には、少なくとも１つの不均等な光分割器のいくつかの光出力端は光出射口に接続され、光出射口に接続される不均等な光分割器の光出力端は、不均等な光分割器の光出力端において比較的に高い出力光パワーを有する光出力端である。このように、光信号が不均等な光分割器を通った後、最もパワーの大きい光信号がトランク経路に残り、より長い距離まで送信され得て、光信号がより長い距離におけるより多くのユーザに割り当てられるように、最もパワーの大きい光信号は光出射口を通って次のノードに送信される。パワーの小さい光信号が、均等な光分割器を通った後、使用のために比較的に近くのユーザに割り当てられる。代替的に、少なくとも１つの不均等な光分割器の全ての光出力端は、一対一の対応関係で光出射口に接続される。このように、光信号は、不均等な光分割器の光出力端を通った後、異なるノードに送信される。比較的に高い出力光パワーを有する光出力端により出力される光信号は、ノードに送信され、比較的多数のユーザをカバーしてよく、比較的に低い出力光パワーを有する光出力端により出力される光信号は、ノードに送信され、比較的少数のユーザをカバーしてよい。
【００１１】
いくつかの可能な設計において、少なくとも１つの不均等な光分割器が、均等な光分割器の光出力端と光出射口との間に接続される。このように、筐体に入る光信号は、均等な光分割器により均等に分割され、そして均等な分割の後に取得される光信号は不均等な光分割器により不均等に分割される。そして、いくつかの光信号（例えば、不均等な光分割器による比較的に高い出力光パワーおよび出力を有する光信号）は、より長い距離まで送信され続けて、使用のためにより多くのユーザに割り当てられる。いくつかの光信号（例えば、不均等な光分割器による比較的に低い出力光パワーおよび出力を有する光信号）は、近くのユーザに割り当てられ、近くのユーザの比較的多数の使用要件を満たす。
【００１２】
いくつかの可能な設計において、少なくとも１つの不均等な光分割器が、均等な光分割器の光入射口と光入力端との間に接続される。このように、筐体に入る光信号は、不均等な光分割器により不均等に分割され、そして不均等な分割の後に取得された光信号は、均等な光分割器（例えば、均等な光分割器は、比較的に低い出力光パワーを有する不均等な光分割器３の光出力端に接続され、近くのユーザの使用要件を満たしてよい。）により均等に分割される。比較的に高い出力光パワーを有する均等な光分割器の光出力端は、光信号がより長い距離まで送信され続けて、使用のためにより多くのユーザに割り当てられるように光出射口に接続されてよい。
【図面の簡単な説明】
【００１３】
【図１】従来の光ファイバーリンクの概略図である。
【００１４】
【図２】本発明の実施形態に係る光ファイバーリンクの概略図である。
【００１５】
【図３】本発明の実施形態に係る光分割装置の実施形態の概略構造図である。
【００１６】
【図４】本発明の実施形態に係る光分割装置の実施形態の部分構造の概略図である。
【００１７】
【図５】本発明の実施形態に係る光分割装置の他の実施形態の概略構造図である。
【００１８】
【図６】本発明の実施形態に係る光分割装置の他の実施形態の概略構造図である。
【００１９】
【図７】本発明の実施形態に係る光分割装置の他の実施形態の概略構造図である。
【００２０】
【図８】本発明の実施形態に係る光分割装置の他の実施形態の概略構造図である。
【００２１】
【図９】本発明の実施形態に係る光分割装置の他の実施形態の概略構造図である。
【００２２】
【図１０】本発明の実施形態に係る光分割装置の他の実施形態の概略構造図である。
【００２３】
【図１１】本発明の実施形態に係る光分割装置の他の実施形態の概略構造図である。
【発明を実施するための形態】
【００２４】
明細書において、本願の請求項および添付の図面における用語「第１の」、「第２の」などは、類似する対象間の区別を意図するものであり、必ずしも特定の順序を説明するために用いられるものではない。そのように称されるデータは、ここに説明されている実施形態が、ここに示されているか、またはここに説明されている内容の順序以外の順序で実装され得るように、適切な状況において交換可能であることを理解されたい。加えて、用語「含む」、「有する」およびこれらの任意の他の変形例は、非排他的包含をカバーすることを意図している。例えば、一連の構造を含む製品またはデバイスは、列挙した構造に明確に必ずしも限定されるわけではないが、明確に列挙されていない他の構造、または製品またはデバイスの固有の他の構造を含んでよい。本願において現れる構造の例は、説明に対する例に過ぎず、実際の適用における実装の間に、他の代替的な構造であってよい。例えば、複数の部品が他の構造に結合または統合されてよく、またはいくつかの構造機能は無視または実行されてなくてよい。加えて、表示または記載されている相互連結または直接連結について、いくつかまたは全部の構造は、実際の要求条件に基づいて選択され、本発明の実施形態における解決手段の目的を達成してよい。
【００２５】
本発明の実施形態は、光通信フィールドに適用される光分割装置、例えば、ＯＤＮフィールドを提供する。本願における光分割装置は、例えば、分割接合クロージャ、ファイバー接続端末（ｆｉｂｅｒ  ａｃｃｅｓｓ  ｔｅｒｍｉｎａｌ，ＦＡＴ）、または光ケーブル接続端末のような光分割デバイスであってよい。具体的な名称は、本願において限定されるものではない。
【００２６】
実施形態において、図２、図３および図４を参照されたい。図２は、本発明の実施形態に係る光ファイバーリンクの概略図である。本発明の実施形態における３つの光分割装置は、リンクのために構成される。図３は、本発明の実施形態に係る光分割装置の実施形態の概略構造図であり、図４は、本発明の実施形態に係る光分割装置の実施形態の部分構造の概略図である。
【００２７】
光分割装置は、筐体１を備える。光入射口１１および複数の光出射口１２が筐体１に配置される。
【００２８】
複数の光出射口１２の各々にファイバーアダプタ４が配置されてよく、あるいはファイバーアダプタ４は、一部の光出射口１２に配置されてよい。各光出射口１２に１つのファイバーアダプタ４が配置される例が、以下の実施形態において用いられる。
【００２９】
各筐体１には、少なくとも１または２の光入射口１１があってよい。各筐体１に１つの光入射口１１がある例は、以下の実施形態において用いられる。ファイバーアダプタ４は、光入射口１１に配置されてもよい。
【００３０】
ファイバーアダプタ４はシングルコアを有してよく、言い換えれば、各ファイバーアダプタ４は１つの光ファイバーが通ることを可能にして、それに応じて、ファイバーアダプタ４に接続される光ファイバーコネクターもシングルコアを有する。代替的に、ファイバーアダプタ４は複数のコアを有してよく、言い換えれば、各ファイバーアダプタ４は、複数の光ファイバーが通ることを可能にする。例えば、図９に示されるように、光入射口１１に配置されるファイバーアダプタ４はデュアルコアを有し、言い換えれば、各ファイバーアダプタ４は２つの光ファイバーが通ることを可能にして、それに応じて、ファイバーアダプタ４に接続される光ファイバーコネクターもデュアルコアを有する。
【００３１】
実施形態において、図４を参照すると、高速接続製品がファイバーアダプタ４として用いられてよい。ファイバーアダプタ４は、互いに反対側に配置されている第１の端部４１と第２の端部とを有する。第１の端部４１は筐体１の外側に位置し、第２の端部は筐体１の内側に位置する。外部光ファイバーコネクターが第１の端部４１に設置され、第１の端部４１は外部光ファイバーコネクターに着脱可能に締結および接続される。内部光ファイバーコネクターが第２の端部に設置され、第２の端部は内部光ファイバーコネクターに着脱可能に締結および接続される。ファイバーアダプタ４は、ファイバーアダプタ４が設置された光入射口１１において封止され、ファイバーアダプタ４はファイバーアダプタ４が設置された光出射口１２において封止される。加えて、ファイバーアダプタ４の第１の端部４１であり、筐体１の外側に位置する第１の端部４１に封止キャップがさらに配置される。第１の端部４１に外部光ファイバーコネクターが設置されない場合、封止キャップは、ファイバーアダプタを封止するために第１の端部４１に設置される。光ファイバーコネクターが第１の端部４１に設置される場合、第１の端部４１は封止を実装してもよい。
【００３２】
実施形態において、図２、図３、図５、図６、図７、図８、図９および図１１を参照すると、均等な光分割器２と不均等な光分割器３とが筐体１に配置される。
【００３３】
少なくとも１つの均等な光分割器２が筐体１に配置され、少なくとも１つの不均等な光分割器３が筐体１に配置される。均等な光分割器２と不均等な光分割器３とを用いて光入射口１１と光出射口１２との間に光路を形成するように、光入射口１１、均等な光分割器２、不均等な光分割器３、および光出射口１２が接続される。少なくとも１つの均等な光分割器２が存在する。例えば、１つ、２つ、３つ、またはより多くの均等な光分割器２があってよい。少なくとも１つの不均等な光分割器３が存在する。例えば、１つ、２つ、３つ、またはより多くの不均等な光分割器３があってよい。
【００３４】
別の実施形態において、図１０に示されるように、光分割装置は均等な光分割器２を含まなくてよく、光分割装置は筐体１と筐体１に配置される不均等な光分割器２とを含む。不均等な光分割器３を用いて光入射口１１と光出射口１２との間に光路を形成するように、光入射口１１、不均等な光分割器３、および光出射口１２が接続される。少なくとも１つの不均等な光分割器３が存在する。例えば、１つ、２つ、３つ、またはより多くの不均等な光分割器３があってよい。出力光パワーが異なる光信号の複数のチャネルが、不均等な光分割器３を用いること、または複数の不均等な光分割器３をカスケード接続することにより取得され得る。光信号は、光出射口１２を通して他のノードに別々に送信される。光信号の各チャネルの光パワーの大きさは、各ノードによりカバーされるユーザの数に基づいて適切に割り当てられる。このように、光信号はより長い距離をカバーし得て、光信号はリソースを無駄にすることなく多様なユーザに基づいて適切に割り当てられ得て、光信号は最大限の利用率で適切に用いられ得る。
【００３５】
実施形態において、光入射口１１は、均等な光分割器２の光入力端および不均等な光分割器３の光入力端のうち少なくとも１つに接続され、光出射口１２におけるファイバーアダプタ４は、均等な光分割器２の光出力端および不均等な光分割器３の光出力端の少なくとも１つに接続されている。
【００３６】
実施形態において、図３、図５、図７、図８、および図９を参照すると、少なくとも１つの均等な光分割器２が、不均等な光分割器３の光出力端と光出射口１２との間に接続される。
【００３７】
図３に示されるように、不均等な光分割器３は、例えば、１：２の不均等な光分割器である。具体的には、不均等な光分割器３は１つの光入力端３１と２つの光出力端（３２および３３）とを含み、ここで、２つの光出力端（３２および３３）は異なる出力光パワーを有する。均等な光分割器２は、例えば、１：８の均等な光分割器である。具体的には、均等な光分割器２は１つの光入力端２１と８つの光出力端２２とを含み、ここで、８つの光出力端２２は同じ出力光パワーを有する。均等な光分割器２の光入力端２１は、不均等な光分割器３の１つの光出力端３３に接続され（例えば、比較的に低い出力光パワーを有する光出力端３３であり、不均等な光分割器３にある光出力端３３に接続されてよい）、均等な光分割器２の８つの光出力端２２は、一対一の対応関係で８つの光出射口１２２に接続される。図３は１つの光出力端２２と１つの光出射口１２２との間の接続のみを示し、および他の７つの光出力端２２と他の７つの光出射口１２２との間の接続関係は図においては省略されていることが理解され得る。１：２の不均等な光分割器３の仕様は、例えば、９０／１０、８５／１５、８０／２０、７０／３０、または６０／４０であってよく、実際のユーザ分布状況に基づいて具体的に選択される。９０／１０は、不均等な光分割器３の２つの光出力端の出力光パワーの割合が９０：１０であることを意味することが理解され得る。
【００３８】
実施形態において、光ファイバーコネクターは、光分割器（均等な光分割器２と不均等な光分割器３とを含む）の各光入力端および光出力端に配置されてよい。実施形態において、光ファイバーコネクターは、上述のファイバーアダプタ４（光入射口におけるファイバーアダプタ４であってもよく、または光出射口におけるファイバーアダプタ４であってもよい）に着脱可能に締結および接続され、設置効率をさらに改善してよい。２つの光分割器の光ファイバーコネクターの接続の間に、２つの光分割器の光ファイバーコネクターは、筐体１に配置されたファイバーアダプタを用いて、着脱可能に締結および接続されてよい。
【００３９】
代替的に、２つの光分割器が接続される必要がある場合、２つの光分割器は光ファイバーを接合することにより接続されてよい。例えば、光ファイバーのあるセグメントは均等な光分割器２の光入力端に配置され、光ファイバーのあるセグメントは不均等な光分割器３の１つの光出力端に配置され、光ファイバーの２つのセグメントは直接接合されてよい。
【００４０】
実施形態において、図３、図５、図６、図７、図８、図９、および図１１に示されるように、少なくとも１つの均等な光分割器２の全ての光出力端は、一対一の対応関係で光出射口１２に接続される。
【００４１】
別の実施形態において、均等な光分割器２のいくつかの光出力端が一対一の対応関係で光出射口１２に接続され、他の光出力端が他の均等な光分割器２または不均等な光分割器３の光入力端に接続される。
【００４２】
図３を参照すると、光出射口１２は１つの第１の光出射口１２１と少なくとも２つの第２の光出射口１２２を含み、ファイバーアダプタ４は、第１の光出射口１２１と第２の光出射口１２２との各々に配置される。第１の光出射口１２１と第２の光出射口１２２とに加えて、筐体１に配置される光出射口１２は他の光出射口をさらに含んでよいことが理解され得る。他の光出射口のファイバーアダプタ４は、光信号が通ることを可能にするように構成されてもよく、または予備にとっておいてよく、アイドル状態であってもよい。これは、実際の要求条件に基づいて具体的に決定される。
【００４３】
不均等な光分割器３は、第１の光入力端３１、第１の光出力端３２、および第２の光出力端３３を含む。この実施形態において、不均等な光分割器３は少なくとも２つの光出力端を含んでよい。例えば、不均等な光分割器３は２つ、３つ、４つ、またはより多くの光出力端を含んでよい。以下は、不均等な光分割器３が２つの光出力端（すなわち、第１の光出力端３２および第２の光出力端３３）を含む例を用いる。
【００４４】
均等な光分割器２は、第２の光入力端２１と少なくとも２つの第３の光出力端２２とを含み、第３の光出力端２２の数は第２の光出射口１２２の数と同じである。この実施形態において、均等な光分割器２は少なくとも２つの光出力端を含んでよい。例えば、均等な光分割器２は１：２、１：４、１：８または１：１６の光分割器であってよい。以下は、均等な光分割器２が１：８光分割器である例を用いて説明する。具体的には、均等な光分割器２は８つの第３の光出力端２２を含む。
【００４５】
光入射口１１は、第１の光入力端３１に接続される。例えば、光ファイバーコネクターが第１の光入力端３１に配置され、光入射口１１のファイバーアダプタ４に着脱可能に締結および接続され、それにより設置効率をさらに改善させる。着脱可能に締結および接続されることは、光ファイバーコネクターがファイバーアダプタ４に締結および接続されてもよく、ファイバーアダプタ４から脱着されてもよいという意味であることが理解され得る。これにより挿入および除去を実装しやすくなり、設置効率が改善される。
【００４６】
第１の光出力端３２は、第１の光出射口１２１のファイバーアダプタ４に接続される。例えば、光ファイバーコネクターは第１の光出力端３１に配置され、第１の光出射口１２１のファイバーアダプタ４に着脱可能に締結および接続され、それにより設置効率をさらに改善させる。
【００４７】
第２の光出力端３３は、第２の光入力端２１に接続される。例えば、光ファイバーコネクターは第２の光出力端３３に配置され、光ファイバーコネクターは第２の光入力端２１に配置され、筐体１は、第２の光出力端３３の光ファイバーコネクターを第２の光入力端２１の光ファイバーコネクターに着脱可能に締結および接続させるために用いられるファイバーアダプタ４をさらに含む。第２の光出力端３３の光ファイバーコネクターと第２の光入力端２１の光ファイバーコネクターとの両方はファイバーアダプタ４に接続され、それにより設置効率をさらに改善させる。代替的に、他の例の場合、光ファイバーは第２の光出力端３３に配置され、光ファイバーは第２の光入力端２１に配置され、第２の光出力端３３の光ファイバーと第２の光入力端２１の光ファイバーとは接合される。
【００４８】
第３の光出力端２２は、第２の光出射口１２２のファイバーアダプタ４と一対一の対応関係で接続される。図３に示されるように、８つの第３の光出力端２２と８つの第２の光出射口１２２が含まれ、各第３の光出力端２２はそれに応じて１つの第２の光出射口１２２に接続される。光ファイバーコネクターは第３の光出力端２２に配置され、第２の光出射口１２２のファイバーアダプタ４に着脱可能に締結および接続され、それにより設置効率をさらに改善させる。図３は１つの第３の光出力端２２と１つの第２の光出射口１２２のみを示し、他の第３の光出力端２２と他の第２の光出射口１２２とは図３において省略されていることが理解され得る。
【００４９】
実施形態において、第１の光出力端３２の出力光パワーは、第２の光出力端３３の出力光パワーより大きい。このように、光信号が不均等な光分割器３を通った後、最もパワーの大きい光信号がトランク経路に残り、より長い距離まで送信され得て、光信号がより長い距離におけるより多くのユーザに割り当てられるように、最もパワーの大きい光信号は第１の光出射口１２１を通して次のノードに送信される。パワーの小さい光信号が、均等な光分割器２を通った後、使用のために比較的に近くのユーザに割り当てられる。
【００５０】
別の実施形態において、図５、図６および図１１に示されるように、少なくとも１つの均等な光分割器２が、光入射口１１と不均等な光分割器３の光入力端との間に接続される。このように、筐体１に入る光信号はまず、均等な光分割器２により均等に分割され、そして均等な分割の後に取得された光信号は、不均等な光分割器３により不均等に分割される。そしていくつかの光信号（例えば、比較的に高い出力光パワーを有し、不均等な光分割器３により出力される光信号）は、より長い距離まで送信され続けて、使用のためにより多くのユーザに割り当てられる。いくつかの光信号（例えば、比較的に低い出力光パワーを有し、不均等な光分割器３により出力される光信号）は、近くのユーザに割り当てられ、比較的多数の近くのユーザの使用要件を満たす。具体的な接続方式については、上述の実施形態を参照されたい。詳細についてはここで改めて説明しない。
【００５１】
別の実施形態において、図２、図３、図５、図６、図８、図９、図１０および図１１に示されるように、少なくとも１つの光出射口１２が、少なくとも１つの不均等な光分割器３の光出力端に接続される。このように、不均等な光分割器３により出力される光信号は、より長い距離まで送信され得て、従って、より長い距離のより多くのユーザに割り当てられる。
【００５２】
例えば、少なくとも１つの不均等な光分割器３のいくつかの光出力端は光出射口１２に接続され、光出射口１２に接続されている不均等な光分割器３の光出力端は、不均等な光分割器３の光出力端において比較的に高い出力光パワーを有する光出力端である。このように、光信号が不均等な光分割器３を通った後、最もパワーの大きい光信号がトランク経路に残り、より長い距離まで送信され得て、光信号はより長い距離のより多くのユーザに割り当てられるように、最もパワーの大きい光信号が光出射口１２を通して次のノードに送信される。パワーの小さい光信号が、均等な光分割器２を通った後、使用のために比較的に近くのユーザに割り当てられる。
【００５３】
代替的に、他の例の場合、図６、図１０、および図１１に示されるように、少なくとも１つの不均等な光分割器３の全ての光出力端は、一対一の対応関係で光出射口１２に接続される。このように、光信号は不均等な光分割器３の光出力端を通った後、異なるノードに送信される。比較的に高い出力光パワーを有する光出力端より出力される光信号は、比較的多数のユーザをカバーするノードに送信されてよく、比較的に低い出力光パワーを有する光出力端により出力される光信号は、比較的少数のユーザをカバーするノードに送信されてよい。
【００５４】
別の実施形態において、図５、図６および図１１に示されるように、少なくとも１つの不均等な光分割器３が、均等な光分割器２の光出力端と光出射口１２との間に接続される。このように、筐体１に入る光信号は、均等な光分割器２により均等に分割され、そして均等な分割の後に取得された光信号は、不均等な光分割器３により不均等に分割される。そしていくつかの光信号（例えば、比較的に高い出力光パワーを有し、不均等な光分割器３により出力される光信号）は、より長い距離まで送信され続けて、使用のためにより多くのユーザに割り当てられる。いくつかの光信号（例えば、比較的に低い出力光パワーを有し、不均等な光分割器３により出力される光信号）は、近くのユーザに割り当てられ、比較的多数の近くのユーザの使用要件を満たす。具体的な接続方式については、上述の実施形態を参照されたい。詳細についてはここで改めて説明しない。
【００５５】
別の実施形態において、図３、図７、図８、および図９に示されるように、少なくとも１つの不均等な光分割器３が光入射口１１と均等な光分割器２の光入力端との間に接続される。このように、筐体１に入る光信号は、不均等な光分割器３により不均等に分割され、そして不均等な分割の後に取得された光信号は、均等な光分割器２（例えば、均等な光分割器２は、比較的に低い出力光パワーを有する不均等な光分割器３の光出力端に接続されてよい）により均等に分割され、近くのユーザの使用要件を満たす。比較的に高い出力光パワーを有する均等な光分割器２の光出力端は、光信号がより長い距離まで送信され続けて、使用のためにより多くのユーザに割り当てられるように光出射口１２に接続されてよい。
【００５６】
別の実施形態において、図９に示されるように、光入射口１１のファイバーアダプタ４はデュアルコアを有する。
【００５７】
加えて、他の実施形態において、光分割装置の実施形態は図１０および図１１に示される。
【００５８】
本発明の実施形態において、均等な光分割器２と不均等な光分割器３とが結合され、光入射口１１、均等な光分割器２、不均等な光分割器３、および光出射口１２の間に光路が形成される。ユーザ分布が多様化されるので、すなわちユーザ分布の密度、ユーザ分布エリアなどが地域、光入射口１１、均等な光分割器２、不均等な光分割器３、および光出射口１２の数によって変わり、実際のユーザ分布に対応する光ファイバー条件を満たすために、これらのカスケード方式は、実際の要求条件に基づいて全てが柔軟にセットされてよい。
【００５９】
ファイバーアダプタ４は光入射口１１と光出射口１２とに配置され、高速接続製品はファイバーアダプタ４として用いられてよい。設置の間、予め作られた光ケーブルの光ファイバーコネクターをファイバーアダプタ４に直接挿入することにより、設置が完了され得る。このように、光分割ボックスは接合することなく設置され、全ての構成要素に対してプラグアンドプレイが実装され、それにより実装難度を実質的に低くして、実装効率を改善させる。
【００６０】
予め作られた光ケーブルは、工場から供給される場合、各端部に光ファイバーコネクターを含み、従って、予め作られた光ケーブルの長さは一定され、供給後に変更することができない。ユーザ分布が多様化される。従って、均等な光分割器２のみが光分割ボックスに用いられると、光ファイバーのカバレッジエリアは非常に小さくなる。ファイバーアダプタ４、不均等な光分割器３、および均等な光分割器２が、光分割ボックスが接合することなく予め作られた光ケーブルを用いて設置され、全ての構成要素に対してプラグアンドプレイが実装されるように結合される。加えて、各光出射口の出力光パワーは、ユーザ分布状況に基づいて柔軟に構成され得る。例えば、比較的に低い出力光パワーを有する光出射口は、それに応じて比較的に近くのユーザをカバーしてよく、比較的に高い出力光パワーを有する光出射口から出てくる光ケーブルは、より長い距離においてより多くのユーザをカバーするために次のノードにさらに接続されてよい。
【００６１】
光分割装置の光入射口、均等な光分割器、不均等な光分割器、および光出射口の間の接続方式は、図に示される上述の結合方式に限定されるものではないことが理解され得る。  光分割装置が不均等な光分割器を含み、不均等な光分割器を用いて光入射口と光出射口との間に光路が形成される任意の実装は、本願の保護範囲に含まれるものとする。
【００６２】
本願の光分割装置は、光分割ボックスであってもよく、光分割ボックスの構成要素であってもよい。加えて、光分割装置は、光分割ボックスに直接接続され得るか、または他のアダプタ構成要素を用いて光分割ボックスに接続してよい。このことは、本願において具体的に限定されない。
【００６３】
光入射口１１、光出射口１２、並びに光分割器（均等な光分割器と不均等な光分割器とを含む）の光入力端および光出力端のような名称は、ダウンリンクの光信号を送信する光送信方向に基づいて全て画定されることが理解され得る。アップリンクの光信号の送信の間は、光入射口１１は光を出力するために用いられることも、光出射口１２は光を入力するために用いられることも、光入力端は光を出力するために用いられることも、光出力端は光を入力するために用いられることも行われると理解され得る。従って、光分割器（均等な光分割器と不均等な光分割器とを含む）の光入射口１１、光出射口１２、光入力端、および光出力端などは、読む場合に構造間の区別を意図する名称の定義に過ぎず、機能（例えば、光の入力または光の出力）を限定することを意図しているものではない。
【００６４】
上述の実施形態では、各実施形態の説明はそれぞれの焦点を有する。実施形態において詳細に説明されない部分については、他の実施形態における関連する説明を参照されたい。
【００６５】
簡便かつ簡潔な説明のために、上述のシステム、装置、およびモジュールの詳細な動作プロセスについては、上述の方法の実施形態における対応するプロセスを参照してよいことが当業者であれば明確に理解し得て、詳細についてはここで改めて説明しない。
【００６６】
本願において提供される技術的解決手段は、上記に詳細に説明されている。本願の原理および実装は、具体例によって本願に説明されている。実施形態の説明は、本願の方法および核心的概念を理解することを容易にするために提供されるものに過ぎない。加えて、当業者であれば、本願の概念に係る具体的実装および適用範囲に関する変形および置換を行うことが可能である。従って、明細書の内容が本願を限界するものと解釈されるべきではない。
【図１】
2021512510.tif 000003
【図２】
2021512510.tif 000004
【図３】
2021512510.tif 000005
【図４】
2021512510.tif 000006
【図５】
2021512510.tif 000007
【図６】
2021512510.tif 000008
【図７】
2021512510.tif 000009
【図８】
2021512510.tif 000010
【図９】
2021512510.tif 000011
【図１０】
2021512510.tif 000012
【図１１】
2021512510.tif 000013
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
光分割装置であって、
筐体と、前記筐体に配置される均等な光分割器と不均等な光分割器とを備えるか、または、前記光分割装置は、筐体と、前記筐体に配置される不均等な光分割器とを備え、
光入射口および複数の光出射口が前記筐体に配置され、ファイバーアダプタが前記複数の光出射口に配置され、
前記均等な光分割器と前記不均等な光分割器とを用いて、前記光入射口と前記複数の光出射口との間に光路が形成されるように前記光入射口、前記均等な光分割器、前記不均等な光分割器および前記複数の光出射口が接続されるか、または前記不均等な光分割器を用いて前記光入射口と前記複数の光出射口との間に光路が形成されるように、前記光入射口、前記不均等な光分割器、および前記複数の光出射口が接続され、
前記光入射口は、前記均等な光分割器の光入力端と前記不均等な光分割器の光入力端との少なくとも１つに接続され、前記複数の光出射口の前記ファイバーアダプタは、前記均等な光分割器の光出力端と前記不均等な光分割器の光出力端との、少なくとも１つに接続される、
光分割装置。
【請求項２】
ファイバーアダプタが前記光入射口に配置されている、請求項１に記載の光分割装置。
【請求項３】
前記ファイバーアダプタの端部であり、前記筐体の外側に位置する端部は、外部光ファイバーコネクターに着脱可能に締結および接続される、請求項１または２に記載の光分割装置。
【請求項４】
前記ファイバーアダプタの端部であり、前記筐体の内側に位置する端部は、内部光ファイバーコネクターに着脱可能に締結および接続される、請求項１または１から３のいずれか一項に記載の光分割装置。
【請求項５】
少なくとも１つの均等な光分割器が、前記不均等な光分割器の前記光出力端と前記複数の光出射口との間に接続されている、請求項１から４のいずれか一項に記載の光分割装置。
【請求項６】
前記複数の光出射口は、１つの第１の光出射口、少なくとも２つの第２の光出射口を有し、前記第１の光出射口と前記第２の光出射口との各々には前記ファイバーアダプタが配置され、
前記不均等な光分割器は、第１の光入力端、第１の光出力端、および第２の光出力端を有し、
前記均等な光分割器は、第２の光入力端と少なくとも２つの第３の光出力端を有し、前記第３の光出力端の数は、前記第２の光出射口の数と同じであり、
前記光入射口は前記第１の光入力端に接続され、
前記第１の光出力端は前記第１の光出射口の前記ファイバーアダプタに接続され、前記第２の光出力端は前記第２の光入力端に接続され、前記第３の光出力端は前記第２の光出射口の前記ファイバーアダプタに一対一の対応関係で接続される、請求項５に記載の光分割装置。
【請求項７】
光ファイバーコネクターが前記第１の光入力端に配置され、前記光入射口の前記ファイバーアダプタに着脱可能に締結および接続され、光ファイバーコネクターが前記第１の光出力端に配置され、前記第１の光出射口の前記ファイバーアダプタに着脱可能に締結および接続され、光ファイバーコネクターが前記第３の光出力端に配置され、前記第２の光出射口の前記ファイバーアダプタに着脱可能に締結および接続される、請求項６に記載の光分割装置。
【請求項８】
光ファイバーコネクターが前記第２の光出力端に配置され、光ファイバーコネクターが前記第２の光入力端に配置され、前記筐体はさらに、前記第２の光出力端の前記光ファイバーコネクターを前記第２の光入力端の前記光ファイバーコネクターに着脱可能に締結および接続するように構成されるファイバーアダプタを有するか、または、
光ファイバーが前記第２の光出力端に配置され、光ファイバーが前記第２の光入力端に配置され、前記第２の光出力端の前記光ファイバーと前記第２の光入力端の前記光ファイバーは接合されている、請求項６または７に記載の光分割装置。
【請求項９】
前記第１の光出力端の出力光パワーが前記第２の光出力端の出力光パワーより大きい、請求項６から８のいずれか一項に記載の光分割装置。
【請求項１０】
少なくとも１つの均等な光分割器が、前記不均等な光分割器の前記光入射口と前記光入力端との間に接続される、請求項１から９のいずれか一項に記載の光分割装置。
【請求項１１】
少なくとも１つの光出射口が少なくとも１つの不均等な光分割器の光出力端に接続されている、請求項１から１０のいずれか一項に記載の光分割装置。
【請求項１２】
前記少なくとも１つの不均等な光分割器のいくつかの光出力端は前記複数の光出射口に接続され、前記複数の光出射口に接続される前記不均等な光分割器の前記光出力端は、前記不均等な光分割器の光出力端において比較的に高い出力光パワーを有する光出力端であるか、または、前記少なくとも１つの不均等な光分割器の全ての光出力端は、前記複数の光出射口に一対一の対応関係で接続される、請求項１１に記載の光分割装置。
【請求項１３】
少なくとも１つの不均等な光分割器が、前記均等な光分割器の前記光出力端と前記複数の光出射口との間に接続されている、請求項１から１２のいずれか一項に記載の光分割装置。
【請求項１４】
少なくとも１つの不均等な光分割器が、前記均等な光分割器の前記光入射口と前記光入力端との間に接続される、請求項１から１３のいずれか一項に記載の光分割装置。
【請求項１５】
前記少なくとも１つの均等な光分割器の全ての光出力端が、複数の光出射口に一対一の対応関係で接続されている、請求項５から９のいずれか一項に記載の光分割装置。
【国際調査報告】
2021512510.tif 000014
2021512510.tif 000015
2021512510.tif 000016
2021512510.tif 000017
2021512510.tif 000018
2021512510.tif 000019